(57)【要約】      （修正有）【課題】他人が蓋を容易に開けることができず、使用の安全性を確保できる容器を提供する。【解決手段】収容空間１１と、該収容空間と連通する開口１２とを有し、前記収容空間に液体を充填可能であり、前記開口が前記収容空間の上に位置する本体１と、上から前記開口を被り可能であり、これにより、前記収容空間の内容物を密封可能である蓋２と、固定部と、暗号部とを含み、前記固定部と前記暗号部とは、そのうちの一つが前記本体に設けられ、そのうちの他者が前記蓋に設けられ、前記固定部は少なくとも一つの当接面を含み、前記暗号部は少なくとも一つの回動具を含み、該回動具は、その中心軸を中心として回動可能であり、開き位置にあるときに前記回動具が前記当接面に当接せず、開き位置以外の位置にあるときに前記回動具が前記当接面を係止するロック機構とを含む。【選択図】図３
0003164912.tif 000002
【実用新案登録請求の範囲】
【請求項１】
収容空間と、前記収容空間と連通する開口と、を有し、前記収容空間に液体を充填可能であり、前記開口が前記収容空間の上に位置する本体と、
上から前記開口を被り可能であり、これにより、前記収容空間の内容物を密封可能である蓋と、
固定部と、暗号部と、を含み、前記固定部と前記暗号部とは、そのうちの一つが前記本体に設けられ、そのうちの他者が前記蓋に設けられ、前記固定部は少なくとも一つの当接面を含み、前記暗号部は少なくとも一つの回動具を含み、前記回動具は、その中心軸を中心として回動可能であり、開き位置にあるときに前記回動具が前記当接面に当接せず、開き位置以外の位置にあるときに前記回動具が前記当接面を係止するロック機構と、を含むことを特徴とする、容器。
【請求項２】
前記固定部は突起を含み、前記当接面が前記突起の表面に位置し、前記回動具は、環状を呈し、凸縁を有し、前記凸縁に切り欠が少なくとも一つ形成され、前記回動具が開き位置に位置するときには、前記切り欠の位置が前記突起の位置に対応し、前記回動具が開き位置以外の位置に位置するときには、前記凸縁が前記当接面を係止することを特徴とする、請求項１に記載の容器。
【請求項３】
前記固定部は挿入ロッドを含み、前記挿入ロッドは、前記本体または前記蓋に固定され、縦方向に沿って延び、前記突起が前記挿入ロッドから横方向に沿って延び、前記暗号部は挿入穴を含み、前記挿入穴が縦方向に沿って延び、前記凸縁は横方向に沿って延びて前記挿入穴に挿入し、前記蓋が前記本体を被っているときには、前記挿入ロッドが前記挿入穴に挿入することを特徴とする、請求項２に記載の容器。
【請求項４】
前記蓋は、前記本体に枢着され、前記本体に対して回動可能であることを特徴とする、請求項１乃至３に記載の容器。
【請求項５】
収容空間と、前記収容空間と連通する開口と、を有し、前記収容空間に液体を充填可能であり、前記開口が前記収容空間の上に位置する本体と、
上から前記開口を被り可能であり、これにより、前記収容空間の内容物を密封可能である蓋と、
係止具と、係り溝と、を含み、前記係止具と前記係り溝とは、そのうちの一つが前記本体に設けられ、そのうちの他者が前記蓋に設けられ、前記係止具は第１位置と第２位置との間に移動可能であり、前記係止具が前記第１位置に位置するときには、前記係止具が前記係り溝と係り、前記係止具が前記第２位置に位置するときには、前記係止具が前記係り溝から分離する係合機構と、
前記係止具に押付け可能であり、これにより、前記係止具が前記第１位置に位置するときに前記第２位置に移動不能であるロック機構と、  を含み、
前記ロック機構は回動具を含み、前記回動具が開き位置に位置しているときには、前記係止具が前記第１位置と前記第２位置との間に移動可能であり、前記回動具が前記開き位置以外の位置に位置しているときには、前記ロック機構が前記係止具に押付けることを特徴とする、容器。
【請求項６】
前記ロック機構はプッシャを含み、前記プッシャが前記係止具と連動し、前記回動具に溝が形成され、前記溝の位置が前記回動具の中心軸からずれ、前記回動具を前記開き位置まで回転するときには、前記溝の位置が前記プッシャに対応し、前記係止具を前記第２位置まで移動するときには、前記プッシャが前記溝に収容されることを特徴とする、請求項５に記載の容器。
【請求項７】
前記蓋は、前記本体に枢着され、前記本体に対して回動可能であることを特徴とする、請求項５又は６に記載の容器。
【考案の詳細な説明】
【技術分野】
【０００１】
本考案は、容器に関し、特に、飲料または食品を収容する容器に関するものである。
【背景技術】
【０００２】
目下、飲料を収容する容器が開口を有することが一般であり、飲料が前記開口を経由して容器内に充填されて、ユーザが前記飲料を飲用できる。一部の容器の開口に蓋が配され、前記開口に前記蓋を被ると、異物の前記容器への侵入を防止できる。
【０００３】
しかしながら、ユーザが別の仕事をやるときには、前記容器を注意し続けることが困難であり、例えば前記容器が置かれる卓からユーザが一旦に離れるときに、前記容器は、前記蓋が他人に開けられて不審なものを入れる可能性がある。これにより、従来の容器の安全性は不足である問題があった。
【考案の概要】
【考案が解決しようとする課題】
【０００４】
本考案の主な目的は、他人が蓋を容易に開けることができず、使用の安全性を確保できる容器を提供することにある。
【課題を解決するための手段】
【０００５】
本考案の容器によると、収容空間と、前記収容空間と連通する開口と、を有し、前記収容空間に液体を充填可能であり、前記開口が前記収容空間の上に位置する本体と、上から前記開口を被り可能であり、これにより、前記収容空間の内容物を密封可能である蓋と、固定部と、暗号部と、を含み、前記固定部と前記暗号部とは、そのうちの一つが前記本体に設けられ、そのうちの他者が前記蓋に設けられ、前記固定部は少なくとも一つの当接面を含み、前記暗号部は少なくとも一つの回動具を含み、前記回動具は、その中心軸を中心として回動可能であり、開き位置にあるときに前記回動具が前記当接面に当接せず、開き位置以外の位置にあるときに前記回動具が前記当接面を係止するロック機構と、を含むことを特徴とする。
【０００６】
本考案の容器によると、前記固定部は突起を含み、前記当接面が前記突起の表面に位置し、前記回動具は、環状を呈し、凸縁を有し、前記凸縁に切り欠が少なくとも一つ形成され、前記回動具が開き位置に位置するときには、前記切り欠の位置が前記突起の位置に対応し、前記回動具が開き位置以外の位置に位置するときには、前記凸縁が前記当接面を係止することを特徴とする。
【０００７】
本考案の容器によると、前記固定部は挿入ロッドを含み、前記挿入ロッドは、前記本体または前記蓋に固定され、縦方向に沿って延び、前記突起が前記挿入ロッドから横方向に沿って延び、前記暗号部は挿入穴を含み、前記挿入穴が縦方向に沿って延び、前記凸縁は横方向に沿って延びて前記挿入穴に挿入し、前記蓋が前記本体を被っているときには、前記挿入ロッドが前記挿入穴に挿入することを特徴とする。
【０００８】
本考案の容器によると、前記蓋は、前記本体に枢着され、前記本体に対して回動可能であることを特徴とする。
【０００９】
本考案の容器によると、収容空間と、前記収容空間と連通する開口と、を有し、前記収容空間に液体を充填可能であり、前記開口が前記収容空間の上に位置する本体と、上から前記開口を被り可能であり、これにより、前記収容空間の内容物を密封可能である蓋と、係止具と、係り溝と、を含み、前記係止具と前記係り溝とは、そのうちの一つが前記本体に設けられ、そのうちの他者が前記蓋に設けられ、前記係止具は第１位置と第２位置との間に移動可能であり、前記係止具が前記第１位置に位置するときには、前記係止具が前記係り溝と係り、前記係止具が前記第２位置に位置するときには、前記係止具が前記係り溝から分離する係合機構と、前記係止具に押付け可能であり、これにより、前記係止具が前記第１位置に位置するときに前記第２位置に移動不能であるロック機構と、を含み、前記ロック機構は回動具を含み、前記回動具が開き位置に位置しているときには、前記係止具が前記第１位置と前記第２位置との間に移動可能であり、前記回動具が前記開き位置以外の位置に位置しているときには、前記ロック機構が前記係止具に押付けることを特徴とする。
【００１０】
本考案の容器によると、前記ロック機構はプッシャを含み、前記プッシャが前記係止具と連動し、前記回動具に溝が形成され、前記溝の位置が前記回動具の中心軸からずれ、前記回動具を前記開き位置まで回転するときには、前記溝の位置が前記プッシャに対応し、前記係止具を前記第２位置まで移動するときには、前記プッシャが前記溝に収容されることを特徴とする。
【００１１】
本考案の容器によると、前記蓋は、前記本体に枢着され、前記本体に対して回動可能であることを特徴とする。
【考案の効果】
【００１２】
本考案の容器によれば、他人が蓋を容易に開けることができず、使用の安全性を確保できるという効果を有する。
【図面の簡単な説明】
【００１３】
【図１】本考案の実施例１の組合済み状態の斜視図である。
【図２】本考案の実施例１の分解斜視図である。
【図３】本考案の実施例１の蓋が開けられた状態の斜視図である。
【図４】本考案の実施例１の断面図である。
【図５】本考案の実施例１の回動具の位置が変更された状態の斜視図である。
【図６】本考案の実施例２の透視図である。
【図７】本考案の実施例２の一部の断面図である。
【図８】本考案の実施例２の使用状態を示す模式図である。
【考案を実施するための形態】
【００１４】
以下、本考案の実施の形態を図面に基づいて説明する。
【実施例１】
【００１５】
まず、図１乃至図４を参照する。本考案の第１実施例の容器は、本体１と、蓋２と、ロック機構と、を含む。
【００１６】
本体１は、収容空間１１と、収容空間１１と連通する開口１２と、を有する。収容空間１１には、食品または液体を充填することができる。開口１２が収容空間１１の上に位置する。本体１は、金属、樹脂、セラミックス、又はガラスで作製されたものである。
【００１７】
蓋２は、上から開口１２を被り可能であり、これにより、収容空間１１の内容物を密封可能である。蓋２に漏れ止め具２１が設けられ、漏れ止め具２１により、本体１に蓋２を被るときには、内容物である液体の漏れ出しを防止することができる。蓋２は本体１から完全に分離することができる。もちろん、蓋は、本体に枢着され、本体に対して回動可能であってもよい。
【００１８】
ロック機構は、蓋２と本体１とをロックして、蓋２を容易に開け不能にするものである。ロック機構は、固定部３１と、暗号部３２と、を含む。固定部３１は、蓋２に設けられ、挿入ロッド３１１と、一つ以上の突起３１２と、を含む。挿入ロッド３１１は、蓋２に固定され、縦方向に沿って延び、突起３１２が挿入ロッド３１１から横方向に沿って延びる。突起３１２は上に向いている当接面を有する。暗号部３２は、本体１に設けられ、一つ以上の回動具３２１と、一つ以上の固定具３２２と、一つの挿入穴３２３と、を含む。これらの回動具３２１とこれらの固定具３２２とは環状を呈する。これらの回動具３２１は、本体１に嵌め設けられ、その中心軸を中心として回動可能である。各回動具３２１に凸縁３２４が形成され、各凸縁３２４に切り欠３２５が形成される。これらの固定具３２２は、これらの回動具３２１に配される。これらの固定具３２２が本体１と係止するため、これらの回動具３２１が本体１から離脱できない。これらの固定具３２２に切り欠も形成される。挿入穴３２３は、本体１とこれらの回動具３２１とこれらの固定具３２２との間に形成され、縦方向に沿って延びる。凸縁３２４は挿入穴３２３に挿入可能である。
【００１９】
図３及び図４を参照する。蓋２が本体１を被っており、回動具３２１が開き位置にあるときには、挿入ロッド３１１が挿入穴３２３に挿入し、突起３１２がこれらの切り欠３２５を挿通して挿入穴３２３に挿入し、なお、回動具が開き位置以外の位置にあるときには、切り欠３２５の位置が変更し、これにより、凸縁３２４が上から突起３１２の当接面に当接し、回動具３２１が前記当接面に係止され、そうすると、挿入ロッド３１１を引き出すことができない。回動具３２１を前記開き位置まで回転するときには、切り欠３２５の位置が突起３１２及び前記当接面の位置に対応し、これにより、回動具３２１が前記当接面と係止せず、挿入穴３２３から挿入ロッド３１１を引き出すことができ、蓋２を開けることができる。
【００２０】
もちろん、前記当接面または前記突起は前記蓋に直接に成形され、又は固定部３１と暗号部３２との位置を交換し、すなわち、本体１に固定部３１を設け、蓋２に暗号部３２を設けてもよい。
【実施例２】
【００２１】
図６及び図７を参照する。本考案の第２実施例の容器は、係合機構と、別のロック機構と、を含む。
【００２２】
前記係合機構により、本体１と蓋２とが係合する。具体的には、前記係合機構は、一つ以上の係止具４１と、一つ以上の係り溝４２と、一つ以上の弾性具４３と、を含む。係止具４１が蓋２に移動可能に配され、これにより、係止具４１は第１位置と第２位置との間に移動可能である。係止具４１と蓋２との間に弾性具４３を配してもよい。係止具４１が弾性具４３付勢されて前記第１位置に移動する傾向がある。係り溝４２は本体１に設けられる。本体１に蓋２を被るときには、図７に示すように、係止具４１が前記第１位置に位置し、これにより、係止具４１が係り溝４２と係止する。図８に示すように、係止具４１を押圧して前記第２位置まで移動するときには、係止具４１が係り溝４２から分離し、このとき、蓋２を開けることができる。
【００２３】
前記ロック機構は、係止具４１に押付け可能であり、これにより、係止具４１が前記第１位置に位置するときに前記第２位置に移動不能である。詳細的には、前記ロック機構は回動具５１を含み、回動具５１が開き位置に位置しているときには、係止具４１が前記第１位置と前記第２位置との間に移動可能であり、回動具５１が前記開き位置以外の位置に位置しているときには、前記ロック機構が係止具４１に押付けて、係止具４１が前記第２位置に移動不能である。具体的には、前記ロック機構はプッシャ５２を含む。プッシャ５２は、係止具４１に固定され、係止具４１と連動する。回動具５１は蓋２に回動可能に配される。回動具５１に溝５１１が形成され、溝５１１の位置が回動具５１の中心軸からずれ、溝５１１の位置が回動具５１の回転により変化する。回動具５１を前記開き位置まで回転するときには、溝５１１の位置がプッシャ５２に対応し、回動具５１がプッシャ５２に押付けず、前記第２位置に係止具４１を移動でき、これにより、プッシャ５２の一部が溝５１１に収容される。なお、回動具５１を前記開き位置以外の位置に回転するときには、回動具５１がプッシャ５２に直接に押付け、これにより、プッシャ５２と係止具４１とは任意に移動できない。もちろん、本体１に係止具４１と回動具５１とを配し、蓋２に溝４２を設けてもよい。
【００２４】
本実施例では、本体１に蓋２の一側が枢着され、蓋２が本体１に対して回動可能である。係止具４１は蓋２の枢軸の反対側に位置することが好ましい。
【００２５】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２６】
本考案は、容器に適用することができる。
【符号の説明】
【００２７】
１：本体
２：蓋
１１：収容空間
１２：開口
２１：漏れ止め具
３１：固定部
３２：暗号部
４１：係止具
４２：係り溝
４３：弾性具
５１：回動具
５２：プッシャ
３１１：挿入ロッド
３１２：突起
３２１：回動具
３２２：固定具
３２３：挿入穴
３２４：凸縁
３２５：切り欠
５１１：溝
【図１】
0003164912.tif 000003
【図２】
0003164912.tif 000004
【図３】
0003164912.tif 000005
【図４】
0003164912.tif 000006
【図５】
0003164912.tif 000007
【図６】
0003164912.tif 000008
【図７】
0003164912.tif 000009
【図８】
0003164912.tif 000010